(57)【要約】      （修正有）【課題】ディスク・ドライブ装置において乱流の発生を抑制する。【解決手段】本発明の一実施形態に係るディスク・ドライブ装置は、磁気ディスクを回転するスピンドル・モータと、スピンドル・モータを収容するベース１０２を備える。該ベースは、磁気ディスクと対向する第１の底面２１１と、磁気ディスクと対向し第１の面より磁気ディスクとの距離が大きい第２の底面２１２とを備える。磁気ディスクの回転によって第１の面から第２の面向かって気流が発生する、第１の底面と第２の底面との間の段差部２１５において、第１の面から第２の面に向かって延びるフィン２５２ａ，ｂ、ｃが立設されている。【選択図】  図２
2006179148.tif 000002
【特許請求の範囲】
【請求項１】
記録ディスクを回転するモータと、
前記モータを収容し、前記記録ディスクと対向する第１の底面と、前記記録ディスクと対向し前記第１の面より前記記録ディスクとの距離が大きい第２の底面と、を有するベースと、
前記記録ディスクの回転によって前記第１の面から第２の面向かって気流が発生する、前記第１の底面と前記第２の底面との間の段差部において立設され、前記第１の面から第２の面に向かって延びるフィンと、
を備える、ディスク・ドライブ装置。
【請求項２】
前記段差部において、前記第１の面から第２の面へ向かうスロープが形成されている、請求項１に記載のディスク・ドライブ装置。
【請求項３】
前記段差部において複数の前記フィンが形成されている、請求項２に記載のディスク・ドライブ装置。
【請求項４】
前記複数のフィンのそれぞれは、前記記録ディスクの外周に向かって凸である円弧状の側壁を有している、請求項３に記載のディスク・ドライブ装置。
【請求項５】
前記段差部の傾斜角度は実質的に５°〜１５°である、請求項２に記載のディスク・ドライブ装置。
【請求項６】
前記複数のフィンは前記記録ディスクの半径方向において実質的に等間隔で配置されている、請求項３に記載のディスク・ドライブ装置。
【請求項７】
回動することによって、前記記録ディスクの上でヘッドを移動するアクチュエータをさらに備え、前記第２の底面は前記アクチュエータの回動範囲を形成するように前記第１の面より低く形成されている、請求項１に記載のディスク・ドライブ装置。
【請求項８】
記録ディスクを回転するモータと、
前記モータを収容し、前記記録ディスクと対向する第１の底面と、前記第１の面より前記記録ディスクとの距離が大きい第２の底面とを有するベースと、
前記第１の底面と前記第２の底面との間の段差部あって、前記記録ディスクの回転によって前記第１の底面から第２の底面向かって気流が発生する第１の段差部と、
前記第１の底面と前記第２の底面との間の段差部であって、前記記録ディスクの回転によって前記第２の面から第１の面向かって気流が発生し、その傾斜角度が前記第１の段差部の傾斜角度はよりも大きい第２の段差部と
を備えるディスク・ドライブ装置。
【請求項９】
前記第１の段差部の傾斜角度は実質的に５°〜１５°である、請求項８に記載のディスク・ドライブ装置。
【請求項１０】
前記第２の段差部の傾斜角度は実質的に４５°以上である、請求項９に記載のディスク・ドライブ装置。
【請求項１１】
前記第２の段差部の斜面は実質的に垂直である、請求項８に記載のディスク・ドライブ装置。
【請求項１２】
前記第１の段差部において前記ベース底から立設され前記第１の面から第２の面に向かって延びるフィンを備える、請求項８に記載のディスク・ドライブ装置。
【請求項１３】
前記第１の段差部において前記ベース底から立設され前記第１の面から第２の面に向かって延びる複数のフィンを備え、
前記複数のフィンのそれぞれは、その内周側と外周側の側面が前記記録ディスクの円周方向に沿って曲がり、前記記録ディスクの半径方向において実質的に等間隔で配置されている、請求項１０に記載のディスク・ドライブ装置。
【発明の詳細な説明】
【技術分野】
【０００１】
本発明はディスク・ドライブ装置に関し、特に、ディスク・ドライブ装置おいて記録ディスクの回転によって生ずる気流の制御に関する。
【背景技術】
【０００２】
光ディスクや磁気テープなどの様々な態様のメディアを使用するデータ記憶装置が知られている。その中で、ハードディスク・ドライブ（以下、ＨＤＤ）は、コンピュータの記憶装置として広く普及し、現在のコンピュータ・システムにおいて欠かすことができない記憶装置の一つとなっている。さらに、コンピュータにとどまらず、動画像記録再生装置、カーナビゲーション・システム、携帯電話、あるいはデジタル・カメラなどで使用されるリムーバブルメモリなど、ＨＤＤの用途は、その優れた特性により益々拡大している。
【０００３】
ＨＤＤで使用される磁気ディスクは同心円状に形成された複数のトラックを有しており、各トラックは複数のセクタに区分されている。各セクタにはサーボ・データと、ユーザ・データが記憶される。スピンドル・モータが磁気ディスクを回転し、薄膜素子であるヘッド素子部がセクタのサーボ・データに従って所望のアドレス位置にアクセスすることによって、磁気ディスクへのデータ書き込み、あるいはデータ読み出しを行うことができる。
【０００４】
ヘッド素子部はスライダに固定されており、これらがヘッドを構成する。スライダが回転している磁気ディスク上を浮上することによって、ヘッドもしくはヘッド素子部を磁気ディスク上の所望の位置にポジショニングすることができる。データ読み出し処理において、ヘッド素子部が磁気ディスクから読み出した信号は、信号処理回路によって波形整形や復号処理などの所定の信号処理が施され、ホストに送信される。ホストからの転送データは、信号処理回路によって所定処理された後に、磁気ディスクに書き込まれる。
【０００５】
ＨＤＤにおいては、磁気ディスクの回転によって発生する気流が問題とされる。例えば、この気流によってアクチュエータが揺れることによって、ヘッドの正確なポジショニングを妨げられる。このため、例えば、特許文献１は、気流の乱れによるヘッドの揺れを抑制するため、ランプに整流板を設けた磁気ディスク装置を開示している。
【０００６】
この他、磁気ディスクの回転によって発生する気流の乱れによって引き起こされる磁気ディスクの揺れ（ディスク・フラッタ）が問題とされる。ディスク・フラッタは、ヘッド自体の揺れと同様に、トラックに対するヘッドの正確なポジショニングを妨げる。特に、磁気ディスクの記録密度が上がりＴＰＩ（Track Per Inch）が高くなるにつれて、より正確なヘッドのポジショニングが要求され、わずかなディスク・フラッタがより大きな問題となってくる。
【特許文献１】特開２００４−１７１６７４号公報
【発明の開示】
【発明が解決しようとする課題】
【０００７】
磁気ディスクのフラッタを低減する方法の一つは、ベースの底面と磁気ディスクとの間のギャップを小さくし、磁気ディスクとベース底面との間における気体の流れを抑制することである。このように磁気ディスクとベース底面を近づけることでディスク・フラッタは抑制されるが、ベース底面を磁気ディスクに近づけることによって空気抵抗が増し、スピンドル・モータの電流量は増加する。
【０００８】
本発明はこのような事情を背景としてなされたものであって、記録ディスクのフラッタを抑制し、モータの電流量を低減することを目的とする。
【課題を解決するための手段】
【０００９】
ここで、ベース底面にはいくつかの段差部が存在する。例えば、アクチュエータの回動空間を確保するため、ベース底面の一部は磁気ディスクに近づけることができない。このため、磁気ディスクの記録面に近いベース底面と磁気ディスクの記録面から離れたベース底面との間に段差が生ずる。発明者らが鋭意検討したところ、このベース底面の段差部分の形状が磁気ディスクの回転による気流の乱れ、あるいはスピンドル・モータの電流量に大きく寄与していることを見出した。
【００１０】
本発明の第１の態様に係るディスク・ドライブ装置は、記録ディスクを回転するモータと、前記モータを収容し、前記記録ディスクと対向する第１の底面と、前記記録ディスクと対向し前記第１の面より前記記録ディスクとの距離が大きい第２の底面と、を有するベースと、前記記録ディスクの回転によって前記第１の面から第２の面向かって気流が発生する、前記第１の底面と前記第２の底面との間の段差部において立設され、前記第１の面から第２の面に向かって延びるフィンと、を備えるものである。フィンを備えることによって気流の乱れを抑制することができる。
【００１１】
前記段差部において、前記第１の面から第２の面へ向かうスロープが形成されている、ことが好ましい。
前記段差部において複数の前記フィンが形成されていることが好ましい。さらに、前記複数のフィンは前記記録ディスクの半径方向において実質的に等間隔で配置されていることが好ましい。これによって、気流の乱れをより効果的に抑制することができる。
【００１２】
前記複数のフィンのそれぞれは、前記記録ディスクの外周に向かって凸である円弧状の側壁を有していることが好ましい。これによって、フィンによる整流効果を高めることができる。
前記段差部の傾斜角度は実質的に５°〜１５°であることが好ましい。これによって、これによって気流の乱れをより効果的に抑制することができる。
【００１３】
回動することによって、前記記録ディスクの上でヘッドを移動するアクチュエータをさらに備え、前記第２の底面は前記アクチュエータの回動範囲を形成するように前記第１の面より低く形成されているディスク・ドライブ装置において、本発明は特に効果的である。
【００１４】
本発明の他の態様に係るディスク・ドライブ装置は、記録ディスクを回転するモータと、前記モータを収容し、前記記録ディスクと対向する第１の底面と、前記第１の面より前記記録ディスクとの距離が大きい第２の底面とを有するベースと、前記第１の底面と前記第２の底面との間の段差部あって、前記記録ディスクの回転によって前記第１の底面から第２の底面向かって気流が発生する第１の段差部と、前記第１の底面と前記第２の底面との間の段差部であって、前記記録ディスクの回転によって前記第２の面から第１の面向かって気流が発生し、その傾斜角度が前記第１の段差部の傾斜角度はよりも大きい第２の段差部と、を備えるものである。第２の段差部の傾斜角度が前記第１の段差部の傾斜角度はよりも大きいので、気流の乱れを抑制し、モータの電流量を低減することができる。
【００１５】
気流の乱れをより効果的に抑制するため、前記第１の段差部の傾斜角度は実質的に５°〜１５°であるであることが好ましい。さらに、モータの電流量低減の点から、前記第２の段差部の傾斜角度は実質的に４５°以上であることが好ましい。さらに、前記第１の段差部において前記ベース底から立設され前記第１の面から第２の面に向かって延びる複数のフィンを備え、前記複数のフィンのそれぞれは、その内周側と外周側の側面が前記記録ディスクの円周方向に沿って曲がり、前記記録ディスクの半径方向において実質的に等間隔で配置されていることが好ましい。フィンを備えることによって気流の乱れを抑制することができる。
【００１６】
前記第２の段差部の斜面は実質的に垂直であることが、モータの電流量低減の点から好ましい。
前記第１の段差部において前記ベース底から立設され前記第１の面から第２の面に向かって延びるフィンを備えることが好ましい。フィンを備えることによって気流の乱れを抑制することができる。
【発明の効果】
【００１７】
本発明によれば、記録ディスクのフラッタを抑制し、モータの電流量を低減することができる。
【発明を実施するための最良の形態】
【００１８】
以下に、本発明を適用可能な実施の形態を説明する。説明の明確化のため、以下の記載及び図面は、適宜、省略及び簡略化がなされている。又、各図面において同一要素には同一の符号が付されており、説明の明確化のため必要に応じて重複説明あるいは図面の符号は省略されている。
【００１９】
本発明を適用した具体的な実施の形態について、図面を参照しながら詳細に説明する。本形態のディスク・ドライブ装置は、そのベースの構造に特徴的な点を有している。本発明の理解の容易のため、最初に、ディスク・ドライブ装置の一例であるハードディスク・ドライブ（以下、ＨＤＤ）の全体構成を説明する。図１は、本実施の形態に係るＨＤＤ１００の構成を模式的に示す分解斜視図である。図１において、１０１はデータを記憶する記録媒体（メディア）であって、磁性層が磁化されることによってデータを記憶する不揮発性の記録ディスクである磁気ディスクである。１０２はＨＤＤ１００の各構成要素を収容するベースである。ベース１０２は、ベース１０２の上部開口を塞ぐトップ・カバー１０３とガスケット１０４を介して固定されることによってディスク・エンクロージャを構成し、ＨＤＤ１００の各構成要素を密閉状態で収容することができる。なお、ベース１０２の構成については、後に詳述する。
【００２０】
磁気ディスク１０１は、スピンドル・モータ１０５のハブ上に載置され、ネジ止めされたトップ・クランプ１０６とハブとに挟持されることによって、スピンドル・モータ１０５に固定される。スピンドル・モータ１０５はベース１０２の底面に固定され、磁気ディスク１０１を所定速度で回転する。
【００２１】
アクチュエータ１０７は、回動軸１０８に回動自在に保持され、ＶＣＭ（ボイス・コイル・モータ）１０９によって駆動される。アクチュエータ１０７はその先端部にヘッド（不図示）を保持し、回動することによって、磁気ディスク１０１上の所望の位置にヘッドをポジショニングする。ヘッドは、スライダと、スライダ表面に固定された変換素子としてのヘッド素子部を備える。ヘッド素子部は、ホスト（不図示）との間で入出力されるデータについて、磁気ディスク１０１への書き込み及び／又は読み出しを行う。ヘッド素子部は、磁気ディスク１０１への記憶データに応じて電気信号を磁界に変換する記録素子及び／又は磁気ディスク１０１からの磁界を電気信号に変換する再生素子を有している。
【００２２】
アクチュエータ１０７は、ヘッドが配置されたその先端部から、サスペンション１１０、アーム１１１、コイル・サポート１１２、フラットコイル１１３の順で結合された各構成部材を備えている。１１４は上側ステータ・マグネット保持板、１１５ａは下側ステータ・マグネット、１１５ｂは下側ステータ・マグネット保持板である。これらは、上側ステータ・マグネット保持板１１４に固定された上側ステータ・マグネット（不図示）と、下側ステータ・マグネット１１５ａとの間において、フラットコイル１１３を挟むように配置される。ＶＣＭ１０９は、フラットコイル１１３、上側ステータ・マグネット及び下側ステータ・マグネット１１５ａから構成される。
【００２３】
１１６は、磁気ディスク１０１の回転が停止するときに、ヘッドを磁気ディスク１０１から退避させるためのランプである。本形態は、ランプ１１６を有するロード・アンロード方式のＨＤＤを例示するが、データ書き込み／読み出し処理を行わない場合に、ヘッドが磁気ディスク１０１の内周に配置されているゾーンに退避するＣＳＳ（Contact Start and Stop）方式に、本発明を適用することも可能である。
【００２４】
また、本形態は、１枚の磁気ディスク１０１を備えるＨＤＤを例示するが、積層配置された複数の磁気ディスクを備えるＨＤＤに本発明を適用することができる。複数枚の磁気ディスクを備える場合、スピンドル・モータは、その回転軸方向に所定の間隔で、複数の磁気ディスクを一体的に保持する。また、典型的には、本形態が示すように磁気ディスク１０１の両面にデータが記録されるが、磁気ディスクの一方の面のみにデータを記録する構成とすることも可能である。
【００２５】
磁気ディスク１０１からのデータの読み取り、書き込みのため、アクチュエータ１０７は回転している磁気ディスク１０１表面のデータ領域上空にヘッドを移動する。アクチュエータ１０７が回動軸１０８を中心として回動することによって、ヘッドが磁気ディスク１０１の表面の半径方向に沿って移動する。これによって、ヘッド（ヘッド素子部）が所望のトラックにアクセスすることができる。磁気ディスク１０１に対向するスライダのＡＢＳ（Air Bearing Surface）面と回転している磁気ディスク１０１との間の空気の粘性による圧力が、サスペンション部１１０によって磁気ディスク１０１方向に加えられる圧力とバランスすることによって、ヘッドは磁気ディスク１０１上を一定のギャップを置いて浮上する。
【００２６】
磁気ディスク１０１の回転が停止するときには、アクチュエータ１０７はヘッドをデータ領域からランプ１１６に退避させる。アクチュエータ１０７がランプ１１６の方向に回動し、アクチュエータ先端のタブがランプ１１６のスロープ上を摺動しながら移動し、ランプ１１６上のパーキング面に載ることにより、ヘッドがアンロードされる。ロードのときには、パーキング面に支持されていたアクチュエータ１０７は、ランプ１１６から離脱して磁気ディスク１０１表面上空に移動する。
【００２７】
ベース１０２外面（下面）には、回路基板（不図示）が取り付けられ、回路基板は典型的にはベース１０２の外半面を覆うような大きさの矩形とされる。回路基板とスピンドル・モータ１０５との間ではモータ駆動用の電力、信号等の入出力が行なわれる。回路基板とアクチュエータ１０７との間ではＶＣＭ１０９用コイルへの動力やヘッドの読み取り等のための電力、信号の入出力が行なわれる。回路基板とヘッドとの間の入出力は、ＦＰＣ（Flexible Printed Circuit）支持部１１７ｂに固定されたＦＰＣ１１７ａを介して行なわれる。
【００２８】
以下において、本形態のベース１０２について詳細に説明する。図１に示すように、ベース１０２は、ＨＤＤ１００の各構成部品が固定される底部２１０と、底部２１０の外周を囲むように形成された壁部２２０を備えている。底部２１０は複数のエリア（底面）を備えている。その一つは、磁気ディスク１０１と対向し、他の底面よりも高い第１の底面２１１である。他の一つは、第１の底面に隣接し、第１の底面のアクチュエータ１０７側に形成された第２の底面２１２である。第２の底面２１２は第１の底面２１１よりも低く、アクチュエータ１０７の回動範囲に対応する。この他、底部２１０は、第２の底面２１２よりも低く、ＶＣＭ１０９の構成部品が固定される第３の底面２１３を備えている。
【００２９】
図２は、本形態のＨＤＤ１００の一部構成を示す斜視図である。図２において磁気ディスク１０１は省略されている。磁気ディスク１０１と対向する第１の底面２１１は、第２の底面２１２よりも高く形成され、磁気ディスク１０１の記録面との距離が小さい。底面２１１は、底部２１０における磁気ディスク１０１の対向面の多くを占めている。第１の底面２１１と磁気ディスク１０１との間のギャップを小さくすることによって、磁気ディスク１０１と第１の底面２１１との間の気流を抑制し、磁気ディスク１０１のフラッタを低減することができる。
【００３０】
磁気ディスク１０１のフラッタを抑制するためには、磁気ディスク１０１に対向する底面全体を、磁気ディスク１０１に近づけることが好ましい。しかし、底部２１０と磁気ディスク１０１の記録面との間をアクチュエータ１０７が回動するための空間を形成することが必要である。上述のように、第２の底面２１２はアクチュエータ１０７の回動範囲に対応し、その一部は磁気ディスク１０１と対向し、他の一部はアンロード状態のアクチュエータ１０７と対向する。第２の底面２１２を第１の底面２１１よりも低く形成することによって、アクチュエータ１０７が回動する空間を磁気ディスク１０１と第２の底面２１２との間に確保することができる。
【００３１】
このように、第２の底面２１２の磁気ディスク１０１に対向する面と磁気ディスク１０１の記録面との間の距離は、第１の底面２１１よりも大きくなっている。このため、第１の底面２１１と第２の底面２１２との間には、２つの段差部２１５、２１６が存在する。第１の段差部２１５は、アクチュエータ１０７の後端側、つまり、ＶＣＭ１０９側にある。第２の段差部２１６は、アクチュエータ１０７の先端側、つまり、ヘッドもしくはランプ１１６側にある。
【００３２】
第１の段差部２１５において、第１の底面２１１から第２の底面２１２へ向かうスロープ２５１が形成されている。また、第１の段差部２１５には、第１の底面２１１から第２の底面２１２に向かって延びる複数のフィン２５２が形成されている。図２に例において、第１の段差部２１５において、ベース底面から立設された３つのフィン２５２ａ、ｂ、ｃが例示されている。
【００３３】
図３は、本形態に係るＨＤＤ１００の内部構成を示す上面図である。図３において、磁気ディスク１０１の外形線のみが示され、磁気ディスク１０１が対向するベース底部２１０が図示されている。図３に示すように、磁気ディスク１０１は、ＶＣＭ１０７側からサスペンション１１０側に向かって回転している。言いえれば、トップ・カバー１０３側（反ベース１０２側）から見て、反時計回りに磁気ディスク１０１が回転する。
【００３４】
磁気ディスク１０１の回転によって、磁気ディスク１０１とベース底部２１０との間において気流が発生する。気流は磁気ディスク１０１の回転方向に流れる。このため、第１の段差部２１５においては、磁気ディスク１０１の回転によって第１の底面２１１から第２の底面２１２に向かう気流が発生する。一方、第２の段差部２１６において、第２の底面２１２から第１の底面２１１に向かう気流が発生する。
【００３５】
図２に戻って、上述にように第１の段差部２１５において、スロープ２５１が形成されている。これによって、第１の底面２１１から第２の底面２１２に向かう気流の乱れを抑制し、磁気ディスク１０１のフラッタの低減、もしくはスピンドル・モータ１０５の電流量の低減につながる。スロープ２５１は、第１の底面２１１から第２の底面２１２に向かうにつれて、その高さが連続的に小さくなるように形成されている。従って、第２の底面２１２に近づくにつれて、スロープ２５１と磁気ディスク１０１との距離が徐々に大きくなっていく。このように、第１の底面２１１と磁気ディスク１０１との間の狭い空間から、第２の底面２１２と磁気ディスク１０１との間の広い空間に向かって、スロープ２５１によって空間が徐々に広くなっていくため、第１の段差部２１５における気流の乱れ（乱流の発生）を効果的に抑制することができる。
【００３６】
ここで、気流の乱れを抑制するためには磁気ディスク１０１との距離が連続的に変化するスロープが形成されていることが好ましいが、第１の段差部２１５は、他の形状の斜面を備えることも可能である。例えば、第１の段差部２１５に、複数の段を形成することができる。また、スロープを、磁気ディスク１０１に対して凸もしくは凹の円弧状に形成することができる。図４は、磁気ディスク１０１の半径方向における、第１の段差部２１５の断面形状の例を示している。図４（ａ）は、図２に示されたスロープ形状の斜面、図４（ｂ）は磁気ディスク１０１に対して凹の円弧状の斜面、図４（ｃ）は多段状の斜面を示している。
【００３７】
第１の段差部２１５から第２の段差部２１６に向かう気流の乱れを効果的に抑制するため、第１に段差部２１５の斜面の傾斜角度は、実質的に５°〜１５°であることが好ましく、さらに好ましくは実質的に７°〜１３°である。ここで傾斜角度は、図４に示すように、第１の段差部２１５の第１の底面２１１端と第２の底面２１２端を結ぶ線と第２の底面２１２との間で規定される角度である。
【００３８】
第１の段差部２１５には、さらに複数のフィン２５２が存在する。本例において、各フィン２５２は、スロープ２５１上に設けられ、第１及び第２の底面２１１、２１２に対して実質的に垂直に立設されている。各フィン２５２の上面（磁気ディスク１０１と対向する面）は、第１の底面２１１と実質的に同一高さとなっており、磁気ディスク１０１との距離が第１の底面２１１と実質的に同一である。フィン２５２の第２の底面２１２側の側面は、第２の底面２１２に対して実質的に垂直である。本例において、フィン２５２はベース１０２と一体的に形成されており、同一部材である。このため、部材点数を増加することなく、ベース１０２の加工のみでフィン２５２を形成することができる。なお、フィン２５２の上面や底面２１２側の側面を傾斜面とすることも可能である。
【００３９】
図３を参照して、複数のフィン２５２は、それぞれ、磁気ディスク１０１の半径方向において離間して配置されている。各フィン２５２の間隔が等間隔となるように、各フィン２５２が配置される。あるいは、各フィン２５２の間隔が不等間隔となるように、各フィン２５２が配置される。不等間隔で各フィン２５２を配置する場合、磁気ディスク１１の内周側から外周側に向かって間隔が徐々に大きくなるように、あるいは、内周側から外周側に向かって間隔が徐々に小さくなるように配置することができる。各フィン２５２の間隔は、ディスク・フラッタあるいはモータ電流低減の点から好ましい値が設定される。回転する磁気ディスク１０１のよって生ずる気流の乱れを抑制するため、各フィン２５２は、磁気ディスク１０１の外側に向かって凸である円弧状の側壁を備えることが好ましい。また、その側壁は、磁気ディスク１０１の円周方向に実質的に一致し、それに沿って曲がっていることが好ましい。円弧状の側壁は、磁気ディスク１０１の内周側もしくは外周側のみに形成することもできるが、図５に示すように、各フィン２５２の両側の側壁が、上述のような円弧状であることが好ましい。
【００４０】
第１の段差部２１５において、複数のフィン２５２は磁気ディスク１０１の半径方向への気流を規制し、円周方向に整流する。図５に示すように、気流は複数のフィン２５２に沿って流れ、フィン２５２は、第１の段差部２１５における磁気ディスク１０１半径方向の気流の乱れを抑制する。これにより、磁気ディスク１０１を回転するスピンドル・モータ１０５の電流量を低減することができる。
【００４１】
本形態のフィン２５２の効果について測定を行った。第１の段差部にフィンを有するベースを実装したＨＤＤと、第1の段差部にフィンが設けられていないベースを実装したＨＤＤとについて、スピンドル・モータ電流量を測定した。図６は、その測定結果を示している。図６のグラフにおいて、Ｘ軸はアクチュエータのポジション、Ｙ軸はスピンドル・モータの電流量を示している。Ｘ軸において、Unloadはアクチュエータ１０７がランプ１１６に退避している状態、ＯＤは外周側、ＭＤは中央、ＩＤは内周側、のそれぞれを意味している。フィンの有無を除いて、２つのＨＤＤの構成は同一であった。図６のグラフに示す通り、アクチュエータがアンロードの状態において、フィンを有するＨＤＤのスピンドル・モータの電流量の大きな低減が認められた。
【００４２】
上述のベース１０２は、第１の段差部２１５にスロープ２５１とフィン２５２とを備えているが、その一方のみを使用することも可能である。例えば、第1の段差部２１５において、第1の底面２１１と第２の底面２１２との間をこれらに垂直な側壁でつなぎ、その側壁から第２の底面２１２に向かって延出するフィンを形成することができる。また、乱流抑制の点から複数のフィン２５２を形成することが好ましいが、一つのフィンであっても整流効果を発揮することができる。
【００４３】
ここで、図２及び図３を参照して、第１の底面２１１からＶＣＭ１０９が配置された第３の底面２１３に向かう流路において、スロープ２３１が形成されている。スロープ２３１は、第１の底面２１１から第３の底面２１３に向かうにつれて、その高さが連続的に小さくなるように形成されている。つまり、磁気ディスク１０１との距離が徐々に大きくなっている。このように、第１の底面２１１と磁気ディスク１０１との間の狭い空間からＶＣＭ１０９が配置された第３の底面２１３によって規定される広い空間に向かって、断面（空間）が徐々に大きくなっていくため、磁気ディスク１０１下の気流の乱れを効果的に抑制することができる。なお、スロープ２３１は、第１の段差部２１５と同様に、他の形状の傾斜面に代えることも可能である。
【００４４】
続いて、第２の段差部２１６について説明する。本形態のＨＤＤ１００において、第２の段差部２１６の傾斜角度が第１の段差部２１５の傾斜角度よりも大きくなるように、各段差部２１５、２１６が形成される。本例において、図７に示すように、第２の段差部２１６にはスロープが形成されておらず、第２の底面２１２の実質的に垂直な壁２６１が形成されている。
【００４５】
第１の段差部２１５は、乱流抑制の点から上記所定の傾斜角度で形成されることが好ましいが、第２の段差部２１６については、スピンドル・モータの電流量低減の観点から傾斜角度を大きくすることが好ましい。２つの段差部２１５、２１６の傾斜角度を異なるものとし、各斜面を非対称に形成することによって、気流の乱れと消費電力の低減を図ることができる。第２の底面２１２から第１の底面２１１へ向かう第２の段差部２１６の傾斜角度は、実質的に４５°以上であることが好ましく、加工の点から９０°以下が好ましい。第２の段差部２１６の斜面形状は、例えば、上述の第１の段差部２１５のように形成することができる。しかし、好ましくは、図７に示すように、第２の段差部２１６には、実質的に垂直（傾斜角度９０°）な壁２６１が形成される。
【００４６】
図８は、本形態の第２の段差部２１６の効果を示す図である。第２の段差部２１６が傾斜していないベースを実装したＨＤＤと、第２の段差部２１６に、第１の段差部２１５と同様のスロープとフィンを設けたベースを実装したＨＤＤとについて、スピンドル・モータ電流量を測定した。第１の段差部２１５は、図２に示すように、スロープ２５１と複数のフィン２５２を備えていた。第２の段差部の形状を除いて、２つのＨＤＤの構成は同一とした。図８はその測定結果を示している。図８のグラフにおいて、Ｘ軸はアクチュエータのポジション、Ｙ軸はスピンドル・モータの電流量を示している。スロープがない第２の段差部２１６を有するＨＤＤにおいて、図８のグラフに示す通り、アクチュエータの各ポジションにおけるスピンドル・モータ電流量の大きな低減が認められた。
【００４７】
以上のように、磁気ディスク１０１に近い第１の底面２１１から磁気ディスク１０１から遠い第２の底面２１２に向かって気流が発生する第１の段差部２１５よりも、第２の底面２１２から第１の底面２１１に向かって気流が発生する第２の段差部２１６の傾斜角度を大きくすることによって、乱流発生の抑制と消費電力の低減を図ることができる。なお、上記例では第１の段差部２１５にフィン２５２が設けられているが、第１の段差部２１５にフィンを設けなくともよい。
【００４８】
尚、上記の説明は、本発明の実施形態を説明するものであり、本発明が上記の実施形態に限定されるものではない。当業者であれば、上記の実施形態の各要素を、本発明の範囲において容易に変更、追加、変換することが可能である。例えば、本発明を磁気ディスク以外の記録ディスクを備える装置に適用することができる。あるいは、記録再生を行うデータ記憶装置の他、再生のみを行うデータ記憶装置に本発明を適用することができる。
【図面の簡単な説明】
【００４９】
【図１】本実施形態に係るＨＤＤの全体構成を模式的に示す分解斜視図である。
【図２】本実施形態に係るベースにおける第１の段差部の形状を示す斜視図である。
【図３】本実施形態に係るＨＤＤの全体構成を模式的に示す上面図である。
【図４】本実施形態に係る第１の段差部の断面形状の例を示す図である。
【図５】本実施形態に係るベースにおけるフィンの効果を模式的に示す図である。
【図６】本実施形態に係るフィンの効果を示すため、フィンを備えるＨＤＤとフィンを備えていないＨＤＤの各スピンドル・モータの電流量の実測値を示すグラフである。
【図７】本実施形態に係るベースにおける第２の段差部の形状を示す斜視図である。
【図８】本実施形態に係る第２の段差部の効果を示すため、垂直な第２の段差部を備えるＨＤＤとスロープが形成された第２の段差部を備えるＨＤＤの各スピンドル・モータの電流量の実測値を示すグラフである。
【符号の説明】
【００５０】
１０１  磁気ディスク、１０２  ベース、１０３  トップ・カバー、１０４  ガスケット
１０５  スピンドル・モータ、１０６  トップ・クランプ、１０７  アクチュエータ
１０８  回動軸、１１０  サスペンション、１１１  アーム、１１２  コイル・サポート
１１３  フラットコイル、１１４  上側ステータ・マグネット保持板
１１５ａ  下側ステータ・マグネット、１１５ｂ  下側ステータ・マグネット保持板
１１６  保持板ランプ、１１７ａ  ＦＰＣ、１１７ｂ  ＦＰＣ支持部、
２１０  ベース底部、２１１  第１の底面、２１２  第２の底面、２１３  第３の底面
２１５  第１の段差部、２１６  第２の段差部、２２０  ベースの壁部、
２３１  スロープ、２５１  スロープ、２５２  フィン、２６１  第２段差部の壁
【図１】
2006179148.tif 000003
【図２】
2006179148.tif 000004
【図３】
2006179148.tif 000005
【図４】
2006179148.tif 000006
【図５】
2006179148.tif 000007
【図６】
2006179148.tif 000008
【図７】
2006179148.tif 000009
【図８】
2006179148.tif 000010